(57)【特許請求の範囲】
【請求項１】
上がり框の上面に載置される水平部と、前記上がり框の前方にて前記水平部の前端から下方に延びる垂直部と、を有するベース部材と、
土間と前記上がり框の下面との間に位置する上向きの歯を有し、前記ベース部材の前記垂直部に上下方向にスライド可能に取り付けられた締め付け部材と、
前記ベース部材に支持された床側支柱と、
前記土間上に支持された土間側支柱と、
前記床側支柱と前記土間側支柱とに架け渡された手すり棒と、を備え、
前記ベース部材の前記水平部は、側部および後部が切り欠かれた舌片を有し、
前記舌片は、前端部を支点として撓み変形可能であり、前記水平部が前記上がり框の上面に載置されていない状態において、前記垂直部とのなす角が９０度未満となるように形成されている、玄関段差昇降用手すり。
【請求項２】
前記土間に載置され、前記ベース部材の前記水平部よりも面積が大きい横長の台を備え、
前記土間側支柱の下端部は、前記台に固定されている、請求項１に記載の玄関段差昇降用手すり。
【請求項３】
前記ベース部材の前記水平部の前端部には孔が形成され、
前記締め付け部材には、ナット部が設けられ、
前記孔に上方から挿入され、回転すると前記締め付け部材を上下方向に移動させるように前記ナット部に螺合したガイドボルトを備えている、請求項１または２に記載の玄関段差昇降用手すり。
【請求項４】
前記ベース部材の前記垂直部および前記締め付け部材のいずれか一方には、前向きに延びるボルトが固定され、他方には前記ボルトが挿通される上下方向に延びるスリットが形成され、
前記締め付け部材は、前記ボルトに前方から締め付けられるナットによって前記ベース部材の前記垂直部に固定される、請求項１〜３のいずれか一つに記載の玄関段差昇降用手すり。
【請求項５】
前記ベース部材は、前記水平部および前記垂直部を構成する断面略Ｌ字型の第１ベースプレートと、前記第１ベースプレート上に固定された第２ベースプレートとを有し、
前記床側支柱の下端部は前記第２ベースプレートに固定されている、請求項１〜４のいずれか一つに記載の玄関段差昇降用手すり。
【発明の詳細な説明】
【技術分野】
【０００１】
本発明は、高齢者等が玄関の段差昇降時に身体を支える玄関段差昇降用手すりに関する。
【背景技術】
【０００２】
高齢者、傷病者、または妊婦等にとって、玄関の段差を昇降する際に身体を支えることのできる手すりがあると便利である。そこで従来から、種々の玄関段差昇降用手すりが提案されている。
【０００３】
特許文献１および２には、支柱の下端部が玄関の上がり框の上面にねじ止めされた手すりが記載されている。このような手すりによれば、支柱が上がり框に堅牢に固定されるので、手すりの取付強度を高めることができる。しかし、ねじ止めする関係上、上がり框の上面にねじ穴が形成されてしまい、手すりを除去した場合に上がり框の上面に傷跡が残ってしまう。
【０００４】
特許文献３には、上がり框を上下から挟み込む支持具を備え、支柱の下端部が上記支持具にボルト止めされた手すりが記載されている。この支持具は、鋼製の板材がコ字状に形成されてなる固定金具を備えている。固定金具の上側の板は上がり框の上面と接触し、固定金具の下側の板には、上端に受金を有するボルトが螺合されている。受金が上がり框の下面と密着するようにボルトを上向きにねじ込むことにより、上記支持具は上がり框に固定される。
【０００５】
特許文献４には、玄関の土間と上がり框の下面との間に載置される横棒と、この横棒から上向きに延びるアジャスターとを備えた手すりが記載されている。この手すりは、アジャスターを上方に伸ばして上がり框の下面に圧着させることにより、アジャスターがいわゆるつっかえ棒となって、上がり框に固定される。
【０００６】
特許文献３および特許文献４に記載された手すりによれば、上がり框の上面にねじ穴を形成しないため、上がり框の上面に傷跡が残る事態を避けることができる。
【先行技術文献】
【特許文献】
【０００７】
【特許文献１】特開平１０−１８３９２５号公報
【特許文献２】特開２００４−１４３７２６号公報
【特許文献３】実開平０３−６８２４１号公報
【特許文献４】特開平１１−１３２４５号公報
【発明の概要】
【発明が解決しようとする課題】
【０００８】
しかし、特許文献３および特許文献４に記載されたような手すりでは、単に上がり框を上下から挟み込んだり、土間と上がり框との間でアジャスターを突っ張らせるだけなので、手すりの取付強度が充分とは言い難かった。
【０００９】
また、特許文献３に記載された手すりでは、支持具を固定する際に、土間と上がり框の下面との間の小さなスペースにて、スパナ等の工具を用いてボルトを締め付ける作業を行わなければならない。特許文献４に記載された手すりにおいても、土間と上がり框の下面との間の小さなスペースにて、アジャスターを上方に伸ばして上がり框の下面に圧着させる作業を行わなければならない。しかし、小さなスペース内で行わなければならないこれらの作業は、大変面倒な作業である。
【００１０】
本発明はかかる点に鑑みてなされたものであり、その目的とするところは、上がり框の上面に傷を付けることなく容易に取り付けることができ、充分な取付強度を発揮することのできる玄関段差昇降用手すりを提供することにある。
【課題を解決するための手段】
【００１１】
本発明に係る玄関段差昇降用手すりは、上がり框の上面に載置される水平部と、前記上がり框の前方にて前記水平部の前端から下方に延びる垂直部と、を有するベース部材と、土間と前記上がり框の下面との間に位置する上向きの歯を有し、前記ベース部材の前記垂直部に上下方向にスライド可能に取り付けられた締め付け部材と、前記ベース部材に支持された床側支柱と、前記土間上に支持された土間側支柱と、前記床側支柱と前記土間側支柱とに架け渡された手すり棒と、を備える。前記ベース部材の前記水平部は、側部および後部が切り欠かれた舌片を有する。前記舌片は、前端部を支点として撓み変形可能であり、前記水平部が前記上がり框の上面に載置されていない状態において、前記垂直部とのなす角が９０度未満となるように形成されている。
【００１２】
上記玄関段差昇降用手すりによれば、上がり框の上面にねじ穴等を形成する必要がないので、上がり框の上面に傷を付けることなく取り付けることができる。また、締め付け部材は上向きの歯を有しているので、締め付け部材を上方に移動させた際、上がり框がベース部材の水平部と締め付け部材との間に挟み込まれるだけでなく、締め付け部材の歯が上がり框の下面に食い込み、しっかりと固定される。したがって、充分な取付強度が発揮される。また、ベース部材の水平部と締め付け部材とで上がり框を上下から挟み込んだ際に、ベース部材が若干後ろ上がりに傾いたとしても、舌片は上がり框の上面と密着した状態を保つことができる。したがって、ベース部材と上がり框との接触面積を充分に確保することができ、玄関段差昇降用手すりの位置ずれを抑制することができる。
【００１３】
前記玄関段差昇降用手すりは、前記土間に載置され、前記ベース部材の前記水平部よりも面積が大きい横長の台を備え、前記土間側支柱の下端部は、前記台に固定されていることが好ましい。
【００１４】
上記玄関段差昇降用手すりによれば、利用者が手すり棒に体重を掛けることによって手すり棒に左右方向の大きな力が加わったとしても、大面積かつ横長の台が土間側支柱をしっかりと支持するので、手すりの位置がずれるおそれはない。
【００１５】
前記ベース部材の前記水平部の前端部には孔が形成され、前記締め付け部材にはナット部が設けられ、前記玄関段差昇降用手すりは更に、前記孔に上方から挿入され、回転すると前記締め付け部材を上下方向に移動させるように前記ナット部に螺合したガイドボルトを備えていてもよい。
【００１６】
上記玄関段差昇降用手すりによれば、ガイドボルトはベース部材の水平部の孔に上方から挿入されているので、ガイドボルトを回転させて締め付け部材を上方に移動させる作業をベース部材の上方にて行うことができる。そのため、土間と上がり框の下面との間の小さなスペースで作業を行う場合と異なり、上記作業を容易に行うことができる。したがって、上記玄関段差昇降用手すりを容易に取り付けることができる。
【００１９】
前記ベース部材の前記垂直部および前記締め付け部材のいずれか一方には、前向きに延びるボルトが固定され、他方には前記ボルトが挿通される上下方向に延びるスリットが形成され、前記締め付け部材は、前記ボルトに前方から締め付けられるナットによって前記ベース部材の前記垂直部に固定されることが好ましい。
【００２０】
このことにより、前記ボルトに対して前方からナットを締め付けることによって、締め付け部材をベース部材に固定することができる。すなわち、締め付け部材をベース部材に固定する作業を前方から行うことができる。したがって、土間と上がり框の下面との間の小さなスペースで作業を行う場合と異なり、締め付け部材をベース部材に固定する作業が容易となる。
【００２１】
前記ベース部材は、前記水平部および前記垂直部を構成する断面略Ｌ字型の第１ベースプレートと、前記第１ベースプレート上に固定された第２ベースプレートとを有し、前記床側支柱の下端部は前記第２ベースプレートに固定されていることが好ましい。
【００２２】
このように、上がり框に固定される第１ベースプレートと、床側支柱の下端部が固定される第２ベースプレートとを別体とすることにより、玄関段差昇降用手すりの取付強度を更に高めることができる。
【発明の効果】
【００２３】
本発明によれば、上がり框の上面に傷を付けることなく容易に取り付けることができ、充分な取付強度を発揮することのできる玄関段差昇降用手すりを提供することができる。
【図面の簡単な説明】
【００２４】
【図１】玄関段差昇降用手すりの斜視図である。
【図２】取付具を前方斜め上から見た斜視図である。
【図３】取付具を後方斜め下から見た斜視図である。
【図４】第１ベースプレートの模式的な側面図である。
【図５】カバーを外した状態の玄関段差昇降用手すりの側面図である。
【発明を実施するための形態】
【００２５】
図１は、本発明の一実施形態に係る玄関段差昇降用手すり（以下、単に手すりという）１を示す斜視図である。手すり１は、例えば高齢者、傷病者、妊婦等が土間２と床３との間を行き来する際に利用されるものである。床３は土間２よりも高い位置に設けられており、床３と土間２との間には段差が形成されている。床３の前側には、上がり框４が設けられている。
【００２６】
手すり１は、上がり框４に取り付けられる取付具５と、土間２上に載置される式台１０と、取付具５に固定された床側支柱である第１支柱６および第２支柱７と、式台１０に固定された土間側支柱８と、第１支柱６と第２支柱７と土間側支柱８とに架け渡された中段手すり棒１２と、第１支柱６と土間側支柱８とに架け渡された逆Ｕ字状の上段手すり棒１３と、を備えている。なお、符号１１は、第１支柱６と第２支柱７と土間側支柱８とに架け渡された補強用の棒である。
【００２７】
図２および図３に示すように、取付具５は、第１ベースプレート２０および第２ベースプレート３０からなるベース部材１５と、締め付けプレート４０とを有している。第１ベースプレート２０は、略水平に延びる水平部２１と、水平部２１の前端から下方に延びる垂直部２２とを有しており、断面略Ｌ字状に形成されている。第２ベースプレート３０は、水平部２１の上に重ねられている。第１ベースプレート２０および第２ベースプレート３０は、ステンレス等の金属からなっている。ただし、第１ベースプレート２０および第２ベースプレート３０の材料は、特に限定される訳ではない。
【００２８】
図３に示すように、第１ベースプレート２０の水平部２１には、側部および後部が切り欠かれた舌片２３が設けられている。舌片２３の側方および後方には、略Ｕ字型のスリット２４が形成されている。舌片２３の前端部は垂直部２２と連続している。本実施形態では、舌片２３は略長方形状に形成されている。ただし、舌片２３の形状は特に限定される訳ではなく、例えば略三角形状、略楕円形状等の他の形状であってもよい。図４に誇張して示すように、第１ベースプレート２０が上がり框４上に載置されていない状態において、舌片２３は後ろ下がり状に傾斜している。舌片２３と垂直部２２とのなす角θは９０度未満となっている。θの値は特に限定されないが、例えば、８０度以上且つ９０度未満とすることができる。舌片２３は、前端部で片持ち支持された状態になっており、前端部を支点として撓み変形可能である。
【００２９】
図２に示すように、水平部２１の前端部には、ガイドボルト１８が挿通される孔２６が形成されている。左右方向に関して、孔２６は水平部２１の中央の位置に形成されている。
【００３０】
第１ベースプレート２０の垂直部２２には、上下に延びるスリット２５が形成されている。スリット２５は、垂直部２２の左側および右側にそれぞれ形成されている。
【００３１】
図３に示すように、水平部２１の下面の左右両側部と、舌片２３の下面と、垂直部２２の後側の左右両側部とには、ゴム製のシート２７が貼り付けられている。シート２７は、第１ベースプレート２０が上がり框４または床３に対して滑らないようにするとともに、上がり框４または床３が傷つかないようにする役割を果たす。スリット２５の周縁部の裏側には、樹脂製のカバー２８が貼り付けられている。
【００３２】
締め付けプレート４０は、垂直部４１と、垂直部４１の下端から後方に延びる水平部４２とを有しており、断面略Ｌ字状に形成されている。図３に示すように、垂直部４１の後側には、ガイドボルト１８が螺合されるナット部４４が固定されている。図示は省略するが、ナット部４４の孔の内周面には、螺旋溝が形成されている。ナット部４４は締め付けプレート４０と一体的に形成されていてもよいが、事後的に組み立てられていてもよい。例えば、垂直部４１の裏面にナットを溶接することにより、ナット部４４を構成することが可能である。ナット部４４はガイドボルト１８に螺合しているので、ガイドボルト１８を回転させると、締め付けプレート４０は上方または下方に移動することになる。
【００３３】
垂直部４１の左側および右側には、前向きに延びるボルト４５が設けられている。ボルト４５は締め付けプレート４０と一体的に形成されていてもよいが、事後的に組み立てられていてもよい。例えば、垂直部４１に孔を形成しておき、ボルトをその孔に通してから垂直部４１に溶接するようにしてもよい。図２に示すように、ボルト４５は第１ベースプレート２０のスリット２５に挿通されている。ボルト４５には前方からナット４６が嵌め込まれる。ナット４６を弛めた状態では、締め付けプレート４０は第１ベースプレート２０の垂直部４１に上下方向にスライド可能に支持される。一方、ナット４６を締め付けると、締め付けプレート４０は垂直部４１にスライド不能に固定される。
【００３４】
図３に示すように、締め付けプレート４０の水平部４２の後端部には、上向きの鋸歯４３が形成されている。なお、水平部４２の後端部に形成される歯の形状は鋸状に限定されず、他の形状であってもよい。締め付けプレート４０は鉄等の金属からなっており、鋸歯４３は木製の上がり框４の下面に食い込むことができるように構成されている。ただし、鋸歯４３が上がり框４の下面に食い込むことができる限り、締め付けプレート４０の材料は特に限定されない。
【００３５】
図２に示すように、第２ベースプレート３０の前端部および後端部は、ボルト３１によって第１ベースプレート２０の水平部２１に固定されている。第２ベースプレート３０の前端部には、ガイドボルト１８の頭部が露出するように、後方に凹んだ凹部３２Ａが形成されている。第２ベースプレート３０には、第１支柱６の台座６ｃおよび第２支柱７の台座７ｃがねじ３２によって固定されている。
【００３６】
ベース部材１５は、図１に示すように、樹脂製のカバー１６およびカバー１７によって覆われている。カバー１６は第１ベースプレート２０の垂直部２２の前方を覆っており、カバー１７は第１ベースプレート２０の水平部２１および第２ベースプレート３０の上方を覆っている。これらカバー１６およびカバー１７は、手すり１の見栄えを良くするとともに、利用者がベース部材１５に触れることによって怪我をしないようにするためのものである。
【００３７】
土間２に載置された式台１０は、横長の略長方形状に形成されている。なお、ここで横長とは、左右方向の平均長さが前後方向の平均長さよりも長いことを言う。式台１０は、ベース部材１５の水平部（第１ベースプレート２０の水平部２１および第２ベースプレート３０）よりも面積が大きくなっている。式台１０には、土間側支柱８の台座（図示せず）がねじ止めされている。土間側支柱８の台座の上方には、樹脂製のカバー１９が設けられている。
【００３８】
床３側に配置された第１支柱６および第２支柱７は、段階的に長さ調整が可能に構成されている。第１支柱６は、筒状の上側パイプ６ａおよび下側パイプ６ｂを有しており、下側パイプ６ｂの上側部分が上側パイプ６ａに挿入されている。上側パイプ６ａの周面には、横向きの貫通孔（図示せず）が形成されている。下側パイプ６ｂの周面には、横向きの貫通孔（図示せず）が上下に複数形成されている。上側パイプ６ａの貫通孔と下側パイプ６ｂのいずれか一つの貫通孔との位置を合わせ、それらの貫通孔にねじを横向きに貫通させて固定することによって、上側パイプ６ａと下側パイプ６ｂとが固定される。上側パイプ６ａの貫通孔に合わせる下側パイプ６ｂの貫通孔を適宜に選択することによって、第１支柱６の長さを段階的に調整することが可能となる。第２支柱７も上側パイプ７ａと下側パイプ７ｂとを備えており、第１支柱６と同様にして、長さを段階的に調整することができる。
【００３９】
土間側支柱８は、長さが無段階に調整可能に構成されている。すなわち、土間側支柱８は、所定の範囲内で長さを任意に調整することができる。長さを無段階に調整可能とする長さ調整機構には、従来から公知の各種の機構を用いることができる。そのため、ここでは長さ調整機構の説明は省略する。土間側支柱８は、上側パイプ８ａと、上側パイプ８ａに挿入された下側パイプ８ｂとを備えている。土間側支柱８の長さが所望の長さになるように下側パイプ８ｂの挿入長さを調整し、上側パイプ８ａを下側パイプ８ｂに対して回転させると、上側パイプ８ａはその位置にて下側パイプ８ｂに固定される。これにより、土間側支柱８の長さが所望の長さに調整される。
【００４０】
次に、手すり１の設置方法の一例を説明する。手すり１は、すべての部品が組み立てられた状態で玄関に運び込まれてもよく、いくつかの部品が分解された状態で玄関に運び込まれ、設置前にその部品を組み立てるようにしてもよい。また、それら部品を組み立てながら設置を行うようにしてもよい。例えば、取付具５、式台１０、第１支柱６、第２支柱７、土間側支柱８、中段手すり棒１２、および上段手すり棒１３を玄関に運び込み、玄関でそれらを組み立てて手すり１を構築した後、その手すり１を設置するようにしてもよい。
【００４１】
手すり１の設置にあたっては、まず、取付具５を上がり框４の上に設置したときに手すり棒１２，１３が所望の高さに位置するよう、第１支柱６および第２支柱７の長さを調整する。次に、取付具５の締め付けプレート４０を充分に下方に移動させておき、締め付けプレート４０の鋸歯４３が上がり框４の下面の下方に位置するよう、取付具５を前方から後方に向けて上がり框４にはめ込み、上がり框４および床３の上に載置する。次に、第１ベースプレート２０の水平部２１が床３と平行となるよう、土間側支柱８の長さを調整する。
【００４２】
次に、スパナ等の工具を用いて、締め付けプレート４０を上方に移動させるようにガイドボルト１８を回転させる。これにより、締め付けプレート４０は上方に向かって徐々に移動し、やがて鋸歯４３が上がり框４の下面に接触する。その後、ガイドボルト１８を更に回転させ、鋸歯４３を上がり框４の下面に食い込ませる。これにより、取付具５が上がり框４にしっかりと固定される（図５参照）。
【００４３】
次に、ボルト４５に対し前方からナット４６をはめ込み、ナット４６を後方に向かって締め付ける。これにより、締め付けプレート４０は第１ベースプレート２０に固定される。
【００４４】
その後、取付具５にカバー１６およびカバー１７を被せる。以上により、手すり１の設置が完了する。
【００４５】
以上のように、本実施形態に係る手すり１によれば、上がり框４の上面にねじ穴を形成することなく設置することができる。したがって、上がり框４の上面に傷跡が残ってしまうことを回避することができる。また、本実施形態に係る手すり１によれば、単に上がり框４を上下から挟み込むだけでなく、締め付けプレート４０の鋸歯４３が上がり框４の下面に食い込むので、手すり１に大きな力が加わっても取付具５が上がり框４から外れてしまうことはない。したがって、充分な取付強度を保つことができる。なお、上がり框４の下面は通常は視認されない箇所に位置しているので、下面に傷跡が残ったとしても、玄関の見栄えを良くするという上がり框４の本来の機能を損なうことはない。
【００４６】
締め付けプレート４０は、ガイドボルト１８を回転させることによって上下に移動する。図２に示すように、ガイドボルト１８の頭部は第１ベースプレート２０の上方に位置しているので、作業者は上がり框４の上方にてガイドボルト１８を回転させる作業を行うことができる。また、締め付けプレート４０を上がり框４の下面に食い込ませた後、前方からナット４６をボルト４５にはめ込むことにより、締め付けプレート４０は第１ベースプレート２０に固定される。すなわち、作業者は上がり框４の前方にて、締め付けプレート４０を第１ベースプレート２０に固定する作業を行うことができる。したがって、本実施形態によれば、作業者は、土間２と上がり框４の下面との間の小さなスペース内で作業を行う必要がなく、上がり框４の上方および前方にて取付作業を行うことができる。よって、本実施形態によれば、手すり１を容易に設置することができる。
【００４７】
また、本実施形態によれば、土間側支柱８の下端部は式台１０に固定されている。式台１０は、第１ベースプレート２０の水平部２１よりも面積が大きく、且つ横長に形成されている。そのため、手すり棒１２，１３に左右方向の大きな力が加わったとしても、式台１０が土間側支柱８を介して手すり１の全体をしっかりと支持するので、手すり１の位置ずれを防止することができる。
【００４８】
手すり１の利用時には、第１ベースプレート２０には手すり棒１２，１３を介して上下および左右の方向の力が加えられる。本実施形態では、第１ベースプレート２０の水平部２１と締め付けプレート４０とで上がり框４を挟み込んだ状態で締め付けプレート４０が上がり框４の下面に食い込むので、水平部２１の前端部は上がり框４の上面と密着するが、水平部２１の前端部以外の部分では床３との密着性が低下するおそれがある。このような場合、水平部２１は上がり框４および床３に対して、若干後ろ上がり状に傾きがちとなる。ところが、本実施形態によれば、第１ベースプレート２０の水平部２１には、側部および後部が切り欠かれた舌片２３が設けられている。この舌片２３は、第１ベースプレート２０が上がり框４の上面に載置されていない状態において、垂直部２２とのなす角θが９０度未満となるように形成されている。そのため、水平部２１が若干後ろ上がり状に傾斜したとしても、舌片２３は上がり框４の上面と密着した状態を維持する。したがって、上がり框４の上面との接触面積が充分に確保され、手すり１の位置ずれが抑制される。
【００４９】
本実施形態では、床側の第１支柱６および第２支柱７は、第２ベースプレート３０を介して第１ベースプレート２０に固定されている。本実施形態によれば、上がり框４に固定される第１ベースプレート２０と、第１支柱６および第２支柱７に固定される第２ベースプレート３０とは別体であり、それらベースプレート２０，３０はねじ３１を用いて組み立てられている。そのため、取付具５の上がり框４に対する取付強度と第１支柱６および第２支柱７の取付強度とを高く保つことができ、ひいては手すり１の取付強度を向上させることができる。
【００５０】
前記実施形態では、第１ベースプレート２０の垂直部２２にスリット２５が形成され、スリット２５を通じて前向きに延びるボルト４５が締め付けプレート４０に形成され、そのボルト４５にナット４６を締め付けることによって、第１ベースプレート２０に締め付けプレート４０が固定されていた。しかし、スリット２５とボルト４５との配置は、その逆であってもよい。すなわち、締め付けプレート４０を第１ベースプレート２０の垂直部２２の前方に配置し、スリット２５を締め付けプレート４０に形成する一方、スリット２５を通じて前向きに延びるボルト４５を第１ベースプレート２０の垂直部２２に形成してもよい。このような形態であっても、ボルト４５に対し前方からナット４６をはめ込み、そのナット４６を締め付けることによって、締め付けプレート４０を第１ベースプレート２０に固定することができる。
【００５１】
前記実施形態では、手すり１は床側支柱として合計２本の支柱、すなわち第１支柱６および第２支柱７を備えていた。しかし、床側支柱の本数は２本に限らず、１本でもよい。また、３本以上であってもよい。土間側支柱８の本数は１本であったが、土間側支柱８の本数も１本に限られない。また、前記実施形態では、支柱の総本数は３本であった。支柱の総本数が３本の場合、２本の場合と比べて、手すり１の強度を向上させることができる。一方、支柱の総本数が４本以上の場合、３本の場合と比べて強度は高まるが、部品点数の増加によるコストアップを招く。そこで本実施形態では、実用上充分な強度を確保しつつコストアップを抑える観点から、支柱の総本数を３本に設定した。ところで、支柱の総本数を３本とする場合、土間側支柱の本数を２本とし、床側支柱の本数を１本とすることもできる。しかし、本実施形態では、土間側支柱８が固定された式台１０は土間２に載置されているだけであるのに対し、床側支柱６，７は取付具５に固定され、その取付具５は前述の通り、上がり框４に堅牢に固定されている。そのため、土間側支柱よりも床側支柱の本数を多くすることにより、手すり１の取付強度をより高めることができる。
【符号の説明】
【００５２】
１          玄関段差昇降用手すり
２          土間
３          床
４          上がり框
６，７      支柱（床側支柱）
８          土間側支柱
１０        式台（台）
１２，１３  手すり棒
１５        ベース部材
１８        ガイドボルト
２０        第１ベースプレート
２１        水平部
２２        垂直部
２３        舌片
２５        スリット
２６        孔
３０        第２ベースプレート
４０        締め付けプレート（締め付け部材）
４３        鋸歯（歯）
４４        ナット部
４５        ボルト
４６        ナット
【図１】
0005637805.tif 000002
【図２】
0005637805.tif 000003
【図３】
0005637805.tif 000004
【図４】
0005637805.tif 000005
【図５】
0005637805.tif 000006